(57)【要約】【課題】  付随品のカードなどを包装容器内に挿入する工程を包装容器の形成工程とは別個に設けなくてもよく、かつ、最初に取り出したい対象が異なる場合にもその要望に応えることが可能な新たな構造の包装容器を提供できる。【解決手段】  一枚のブランク１０を組み立てることで形成されてなる包装容器１は、包装容器１を開封する第一の開封構造が包装容器の外側面のうち少なくとも一面である前板１２に設けられている。さらに前板１２の内側に形成され、前記包装容器１の側板１８と糊代２８と切り目ｅ，ｆを介して連設された連設板たるカード１６を含み、カード１６は前記包装容器における内側板１８、糊代２８からそれぞれ切り目ｅ，ｆを介して分離して取り外し可能な構造とされてなる。【選択図】  図３Ｄ
2006335384.tif 000002
【特許請求の範囲】
【請求項１】
一枚のブランクを組み立てることで形成されてなる包装容器であって、
前記包装容器を開封する第一の開封構造が前記包装容器の外側面のうち少なくとも一面に設けられ、
前記第一の開封構造を有する面の内側に形成され、前記包装容器の他の部分と連設された連設板を含み、
前記連設板は前記包装容器の他の部分から取り外し可能な構造とされてなる包装容器。
【請求項２】
請求項１に記載の包装容器であって、
前記第一の開封構造とは独立した開封構造であって前記包装容器を開封する第二の開封構造が前記第一の開封構造を有する面以外の他の面に設けられる包装容器。
【請求項３】
請求項１または２に記載の包装容器であって、
前記連設板は、前記第一の開封構造の開封方向側で連設されてなる包装容器。
【請求項４】
請求項１から３のいずれか１つに記載の包装容器であって、
前記連設板が連設される前記包装容器の他の部分は、前記包装容器の外側面の内側に形成され、前記外側面と貼着された部分の内側面とされる包装容器。
【請求項５】
請求項４に記載の包装容器であって、
前記連設板は両側で前記包装容器の他の部分と連設される包装容器。
【請求項６】
請求項１から５のいずれか１つに記載の包装容器であって、
前記連設板はその表面全体が前記第一の開封口において目視可能に設計される包装容器。
【発明の詳細な説明】
【技術分野】
【０００１】
本発明は、包装容器、特に一枚のブランクを組み立てることで形成される包装容器に関する。
【背景技術】
【０００２】
菓子などの内容物がその容器部に包含される包装容器が知られている。包装容器には、様々なものがあるが、例えば、下記非特許文献１に挙げられるように直方体形状の紙箱からなるものが挙げられる。
【０００３】
そのような包装容器には、外側面の一面に設けられた包装容器を開封する蓋などの開封構造が設けられているものがある。消費者は、菓子などの内容物を取り出したいときには、この開封構造を利用して（例えば、蓋などを開け）、包装容器の内部に収容された菓子などの内容物を取り出すことができる。
【０００４】
包装容器には、その内部に意匠性を付与するカードなどが付随品として付随される場合がある。このような包装容器においては、消費者は菓子などの内容物を取り出すことができる他に、付随品のカードなどを収集するなどの興趣を覚えることができる。
【非特許文献１】特許庁公報，周知・慣用技術集（包装産業），５３−２１９〔２５６８〕，「ジッパー付き容器」，特許庁発行
【発明の開示】
【発明が解決しようとする課題】
【０００５】
しかしながら、付随品のカードなどを包装容器内に挿入する工程を包装容器の形成工程とは別個に設けなくてはならず、煩雑となる場合がある。
【０００６】
また、消費者によって、または同一の消費者であっても気分などによって包装容器を開封することで最初に包装容器から取り出したい対象物が異なる場合がある。すなわち、最初に菓子などの内容物を取り出したい場合と最初に付随品のカードなどを取り出したい場合がある。このような最初に取り出したい対象が異なる場合にはその要望に一種類の包装容器で応えることができない場合がある。
【０００７】
本発明は、上記課題に鑑みてなされたものであり、付随品のカードなどを包装容器内に挿入する工程を包装容器の形成工程とは別個に設けなくてもよく、かつ、最初に取り出したい対象が異なる場合にもその要望に応えることが可能な新たな構造の包装容器を提供することを主な目的とする。
【課題を解決するための手段】
【０００８】
本発明は、一枚のブランクを組み立てることで形成されてなる包装容器であって、前記包装容器を開封する第一の開封構造が前記包装容器の外側面のうち少なくとも一面に設けられ、前記第一の開封構造を有する面の内側に形成され、前記包装容器の他の部分と連設された連設板を含み、前記連設板は前記包装容器の他の部分から取り外し可能な構造とされてなることを特徴とする。
【０００９】
前記第一の開封構造とは独立した開封構造であって前記包装容器を開封する第二の開封構造が前記第一の開封構造を有する面以外の他の面に設けられると好適である。
【００１０】
前記第一の開封構造によって開封された前記包装容器の第一の開封口が前記第二の開封構造によって開封された前記包装容器の第二の開封口よりも広い面積を有する構造であると好適である。
【００１１】
前記連設板は、前記第一の開封構造の開封方向側で連設されてなるであると好適である。
【００１２】
前記連設板が連設される前記包装容器の他の部分は、前記包装容器の外側面の内側に形成され、前記外側面と貼着された部分の内側面とされると好適である。
【００１３】
前記連設板は両側で前記包装容器の他の部分と連設されると好適である。
【００１４】
前記連設板はその表面全体が前記第一の開封口において目視可能に設計されると好適である。
【発明の効果】
【００１５】
本発明によれば、付随品のカードなどを包装容器内に挿入する工程を包装容器の形成工程とは別個に設けなくてもよく、かつ、最初に取り出したい対象が異なる場合にもその要望に応えることが可能な新たな構造の包装容器を提供できる。
【発明を実施するための最良の形態】
【００１６】
以下、本発明の実施の形態を図面に基づいて説明する。なお、本実施形態  については、本発明を実施するための一形態に過ぎず、本発明は本実施形態によって限定されるものではない。
【００１７】
「包装容器」
図１は、本実施形態に係るの包装容器１を示す斜視図である。包装容器１は外形が天板１４、底板１３（図示せず）、前板１２、後板２４（図示せず）、側板２２、側板１９（図示せず）、からなる略直方体の包装容器である。
【００１８】
天板１４には、側板２２から側板１９に至るまでジッパー構造の天板破断線ｒが設けられている。
【００１９】
消費者は、例えば側板２２側から側板１９側へジッパー構造の天板破断線ｒを引き裂くことで天板１４の殆どを取り除き図２に示されるように開口させることができる（第二の開封構造）。天板１４の殆どを取り除くと、包装容器１の外形上は天板１４の内側にあり、天板１４に押圧されていた隣接片２３、隣接片２５、および折り込み片１５が開放可能になる。
【００２０】
ジッパー構造の天板破断線ｒを引き裂き、隣接片２３、隣接片２５、および内側天板１５、天板１４の取り除かれなかった残りを図２のように広げることで開封口２０が形成される（第二の開封口）。消費者は開封口２０から包装容器１内部の菓子を取り出すことができる。
【００２１】
本実施形態のように第二の開封構造はジッパー構造であると好適であるがこれに限られない。天板１４の押圧状態から隣接片２３、隣接片２５、および折り込み片１５を開放できるように補助する構造であればよい。また、第二の開封構造は必須の構成ではない。第二の開封構造を設けると開封しやすいので好適であるが、設けなくとも消費者は天板１４を開くことで天板１４の押圧状態から隣接片２３、隣接片２５、および折り込み片１５を開放でき、これら板を図２のように広げて開封口２０を形成してもよい。
【００２２】
前板２２には、一対の並行する前板破断線ｐ、ｐが設けられ、側板２２には、前板破断線ｐ、ｐに連続して一対の側板破断線ｑ、ｑが辺縁まで設けられている。側板破断線ｑ、ｑおよび前板破断線ｐ、ｐを引き裂くことにより、側板２２の一部の側板開閉部分Ｑおよび天板１４の一部の天板開閉部分Ｐを開口可能としている（第一の開封構造）。また、側板２２の中央辺縁は、側板開閉部分Ｑが開封しやすいように側板破断線ｑ、ｑ間の幅を狭くして摘まみ部２２ａとしている。
【００２３】
図３Ａ〜Ｃは、第一の開封構造により包装容器１を開封する態様を説明する斜視図である。最初に図３Ａに示されるように側板２２の摘まみ部２２ａを摘んで側板破断線ｑ、ｑを引き裂いて開封し、側板２２の一部である側板開閉部分Ｑを開く。開くにつれて側板２２の内側に備えられた内側板１８が露出する。内側板１８は一旦開封後、摘まみ部２２ａを差し込んで蓋をするための差し込み部１８ａが設けられている。この差し込み部１８ａは設けれていると好適であるが必須となる構成ではない。
【００２４】
次に図３Ｂに示されるように側板破断線ｑ、ｑに連続する前板破断線ｐ、ｐを引き裂いて開封し、前板開閉部分Ｐ以外の前板１２の一部分１２a、１２ｂと前板１２の一部である前板開閉部分Ｐとを剥離させる。前板開閉部分Ｐが開くに従って、外側面たる前板１２の内側に備えられた付随品のカード１６（連設板）が開口部３０（第一の開封口）を介して目視できるようになる。
【００２５】
最後に図３Ｃに示されるようにカード１６の全体が見えるように前板開閉部分Ｐを開口させる。カード１６は、切り目ｅ、ｆを介して包装容器１と連設されている。本実施形態においてこの連設方向は第一の開封構造の開封方向側における両側（切り目ｅ、ｆ）で連設されてなる。
【００２６】
切り目ｅ、ｆは、包装容器１の他の部分（本実施形態では内側板１８、糊代２８）と分離する上で好適な態様であればよく、特に限定されないが、例えばミシン目、リード罫、半切れ、半切れミシン目等とすることが挙げられる。
【００２７】
本実施形態においては、第一の開封構造の開封方向側とは天板１４と底板１３側とのラインを縦方向とすると、縦方向に対しての側板２２と側板１９とのラインである横方向側である。本実施形態においては、縦方向は包装容器１と連設されていない。
【００２８】
本実施形態のように連設方向は開封方向側の両側であると好適であるがこれに限られない。例えば、縦方向単独であるいは開封方向側と組み合わせて連設されていてもよい。また、本実施形態のように両側が連設されると好適であるが片側だけであってもよい。すなわち本実施形態で例示すると折り目ｅのみでカード１６が包装容器１と連設されていてもよく。その場合には切り目ｆでカード１６と連設されている後述の糊代２８を省略してもよい。
【００２９】
また、本実施形態では、切り目ｅ、ｆを折り目として共用することができ、好適であるが、これに限られず、カード１６を分離する切り目と折り曲げて包装容器１を組み立てるための折り目とを別に設けてもよい。すなわち切り目ｅ、ｆを折り目とし、それよりも内側に別に切り目を設けて分離する態様としてもよい。
【００３０】
本実施形態において、カード１６は前板開閉部分Ｐよりも小さな面積とされるなどして、前板１２の一部分１２a、１２ｂによってカード１６の表面の一部分が隠れることないように設計されている。このようにしてカード１６の表面全体を消費者が目視可能となるように設計されている。この状態で消費者はカード１６を目視し、カード１６がどのような態様であるか（例えば意匠性などの消費者に興趣を起こさせる態様）を確認することができる。
【００３１】
カード１６は、実施形態のように意匠性などを付与しても良いが、無地など付与しなくてもよく、包装容器に連設されていればよい。本実施形態におけるカード１６は所謂「菓子のおまけの付随品」として使用できる。
【００３２】
カード１６の幅は適宜選択できる。カード１６の開封方向の幅は本実施形態のように前板１２、後板２４と略同一幅であると好適であるがこれに限られない。糊代２８を省略する場合などには略同一幅よりも短い幅としてもよい。カード１６の縦方向の幅は本実施形態のように前板開閉部分Ｐの縦方向の幅よりも略同一またはそれよりも小さい幅としてもよいがこれに限られることなく、前板開閉部分Ｐよりも大きな幅としてもよい。
【００３３】
カード１６は、本実施形態のようにカード１６の表面全体を消費者が目視可能となるように設計されていると好適であるがこれに限られることなく、前板１２の一部分１２ａ、１２ｂと重なるなどしてその一部が開口部３０を通じてのみでは目視不能な状態であってもよい。
【００３４】
消費者がカード１６を取り出したい場合は図３Ｃの状態から図３Ｄで示されるようにカード１６を取り出すことができる。本実施形態では、前板１２の一部分１２a、１２ｂとカード１６とのそれぞれの縦方向の幅を持つ空間２７ａ、２７ｂに指などを入れ、その指などをカード１６の背面に回し、背面からカード１６を引っ張り上げ、その力で切り目ｅ、ｆを介してカード１６を包装容器１の他の部分（内側板１８、糊代２８）と分離すればよい。空間２７ａ、２７ｂは、縦方向の幅に加え、外側の板たる前板１２の一部分１２a、１２ｂに対して、前板１２の内側たるカード１６という外側と内側の配置関係上、前板１２から後板２４への方向の差分もあり、消費者は指などを入れやすくなっている。カード１６には例えば切り欠き部を連設されていない部分（本実施形態では空間２７ａ、２７ｂと接する辺）端部に設け、指などを挿入しやすくしてもよい。
【００３５】
開封口３０は、本実施形態の前板１２における前板開閉部分Ｐとそれ以外の部分１２ａ、１２ｂのように第一の開封構造を形成する面の一部を開封することで残りの部分を残すという態様に限られることはない。第一の開封構造を形成する面の全体を開閉部分（本実施形態では前板１２全体を前板開閉部分Ｐとし、残りの部分１２ａ、１２ｂをなくす）としてもよい。
【００３６】
なお、消費者がカード１６を取り出すことが消費者の要望に合わないなどの場合には、カード１６を包装容器１から分離させずに、図２のように第二の開封構造により開封することで、開封口２０から菓子などの包装容器１に収容された内容物を取り出せばよい。また、カード１６を取り出した後、開封口３０を介して内容物を取り出すこともでき、消費者は最初にカードを取り出したいか、または菓子などの内容物を取り出したいか、またはカードを取り出した後に内容物を取り出したいかなどの所望に応じて第一の開封構造および／または第二の開封構造を選択できる。
【００３７】
開封口３０に対しての開封口２０を設ける位置は本実施形態のように、天板などであると好適であるがこれに限られず、第二の開封構造による開封口２０は底板、側板、後板など第一の開封構造による開封口３０が設けられる面と異なる面に設けられていればよく、特に限定されるものではない。後述のように第一の開封構造による開封口３０が前板以外に設けられた場合については開封口２０を前板１２に設けることも可能である。
【００３８】
第一の開封構造による開封口３０が設けられる面は、前板に限られることなく、底板、側板、後板など前板以外に設けられてもよい。
【００３９】
また、第一の開封構造は本実施形態のように側板２２側から破断線ｑ，ｑと前板１２側の破断線ｐ，ｐへ連続されるように、すなわち第一の開封構造が形成される面以外の面側から続けて開封されるようになっていると開封しやすさなどの観点から好適であるが、これに限られず前板１２、第一の開封構造が形成される面のみで開封される態様であってもよい。
【００４０】
なお、第一の開封構造、第二の開封構造はそれぞれ一つだけ設けることに限られず一方または両方を複数の面に設けてもよい。
【００４１】
本実施形態のように第一の開封口たる開封口３０は、第二の開封口たる開封口２０と比較して広い面積を有しているので、通常の菓子などの取り出しようの開封口たる開封口２０よりも大きな表面面積を有するカードを開封口３０から取り出すと好適であるがこれに限定されない。開封口２０よりも小さな表面面積を有するカードであるなど取り出すことができれば開封口３０は開封口２０と略同一の面積またはそれ以下であってもよい。
【００４２】
「ブランク」
図４は、図１の包装容器１を組み立てるブランク１０を示す展開図である。ブランク１０では、紙面に向かって左方向から右方向に向かって順に縦方向に形成された折り目ａ、ｂ、ｃ、ｄおよび切り目ｅ、ｆが形成されている。この折り目および切り目によって左方向から右方向に向かって側板２２、前板１２、側板１９、後板２４、内側板１８、カード１６、糊代２８とそれぞれの板が区画されている。
【００４３】
側板２２には、紙面に向かって上下の辺にはそれぞれ折り目ｇ、ｈを介してそれぞれ折り込み片２３、２４が連設されている。側板２２は側板破断線ｑ，ｑによって側板開閉部分Ｑとその他の部分とに区画されている。側板開閉部分Ｑは側板破断線ｑ，ｑによって左方向先端で窄まるように形成されており、その先端が上述の摘み部２２ａとなる。
【００４４】
前板１２には、紙面に向かって上下の辺にはそれぞれ折り目ｉ、ｊを介してそれぞれ天板１４、底板１３が連設されている。前板１２は前板破断線ｐ，ｐによって前板開閉部分Ｐとその他の部分１２ａ、１２ｂとに区画されている。なお、天板１４には紙面に向かって横方向に破断線ｒで示される第二の開封構造が形成されている。
【００４５】
破断線ｐ、ｑ、ｒは破断しやすいように、Ｙ字状切り目、Ｌ字状切り目、ミシン目などで設けると好ましいが特に限定されるものではない。破断線を設ける態様および形状は適宜選択できる。例えば一対の破断線は必ずしも平行である必要はなく、傾斜した線であってもよい。また、前板破断線は直線ではなく、曲線であってもよい。これに伴い開閉部分Ｐ、Ｑの形状は、四辺形、台形が基本であるが、種々の形状とすることができる。
【００４６】
側板１９には紙面に向かって上下の辺にはそれぞれ折り目ｋ、ｌを介してそれぞれ折り込み片２５、２６が連設されている。後板２４には紙面に向かって上下の辺にはそれぞれ折り目ｍ、ｎを介してそれぞれ折り込み片１５、１７が連設されている。内側板１８には、差し込み部１８ａが全切れの切り目で形成されている。
【００４７】
カード１６には、消費者に興趣を起こさせる態様に意匠性（図４では「ＤＮＰ」の文字で例示している）が予め付与されている。意匠性の付与の態様は印刷方法一般など特に限られることなく適宜選択して用いることができる。
【００４８】
「組み立て方法」
ブランク１０から包装容器１を組み立てるには、折り目ａ、ｂ、ｃ、ｄおよび切り目ｅ、ｆを連接している板に対して紙面に向かって山折りして垂直起立させる。
【００４９】
折り目の対応関係は側板２２の左端辺と折り目ｄと、側板２２と前板１２とを区画する折り目ａを切り目ｅと、折り目ｂと切り目ｆと、がそれぞれほぼ重なるように対応させる。
【００５０】
連設されている板の対応関係は、内側板１８が側板２２と重なり側板２２が外側、内側板１８が内側となり二重構造となり、糊代２８の全体が側板１９と重なり側板１９が外側、糊代２８が内側となり、カード１６が前板１２の内側となりそれぞれ二重構造となるようにする。この二重構造となった部分のうち、糊代２８と側板２２の側板開閉部分Ｑ以外の重なる部分を接着剤で貼着する。このようにして図４の紙面方向において上下方向に貫通し、横方向の断面が略長方形の貫通した中空の筒形構造（図５）とすることができる。
【００５１】
図５で示される中空の筒形構造を天板１４側の折り込み片２３、２５、底板１３側の折り込み片２４、２６を山折りして垂直起立させる。山折りされた天板１４側の折り込み片２３、２５、底板１３側の折り込み片２４、２６の上に重なるようにそれぞれ折り込み片１５、１７を山折りして垂直起立して重ねる。折り込み片１５、１７を山折りして重ねた後、天板１４、底板１３とを垂直起立して、天板１４、底板１３の図４の紙面における背面と折り込み片１５、１７の表面とを接着剤で貼着すると図１に示される包装容器１が完成する。
【００５２】
接着剤としては、一般的なものを適用できる。例えば、アクリル系接着剤、ゴム系接着剤、シリコーン系接着剤等の接着剤などが挙げられる。
【００５３】
本実施形態ではブランクに付随品のカードを連設した連設板として組み立てるので別個に付随品のカードを包装容器内に挿入する工程を包装容器の形成工程とは別個に設けなくてはならず、煩雑となることを防止することができる。
【００５４】
また、消費者によって、または同一の消費者であっても気分などによって包装容器を開封することで最初に包装容器から取り出したい対象物が異なる場合であっても（例えば最初に菓子などの内容物を取り出したい場合と最初に付随品のカードなどを取り出したい場合など）その要望に一種類の包装容器で応えることができる。
【００５５】
本実施形態では、包装容器は、好適なものとして略直方体形状となっているが、これに限られるものではない。略立方体形状、六面体一般、さらには、他の三次元立体、例えば、三角柱状形状、八面体など多面体、各板が矩形、台形、四角形、五角形、六角形、八角形、十角形の包装容器にも適用できる。
【００５６】
本実施形態の包装容器の材料は適宜選択して用いることができる。例えば紙を用いる場合は、例えば、コートボール紙、包装容器紙、カップ原紙、ダンボール紙、板紙等（再生紙を含む）、カード紙等の通常の紙器加工に用いられる材料などを使用できる。紙の厚さは、特に限定されないが、強度の高い紙を用いることが好ましい。また、プラスチック材、木材、などの異なる材料から包装容器が作製されてもよい。
【００５７】
例えば、プラスチック材であれば、熱可塑性樹脂、熱硬化性樹脂、生分解性プラスチック（例えばポリ乳酸含有プラスチック）、ポリエステル、ポリプロピレン、セロファン、ポリカーボネート、酢酸セルロース、ポリエチレン、ポリ塩化ビニル、ポリスチレン、ポリアミド、ポリイミド、ポリ塩化ビニリデン、ポリビニルアルコール、エチレン・酢酸ビニル共重合体けん化物、フッ素樹脂、塩化ゴム、アイオノマー、エチレン・アクリル酸共重合体、エチレン・アクリル酸エステル共重合体、等のプラスチックのフィルム、コンデンサー紙、パラフィン紙、不織布、アルミニウム箔や、これらを複合したフィルムを用いてもよい。
【図面の簡単な説明】
【００５８】
【図１】本実施形態に係る包装容器を示す模式的な斜視図である。
【図２】本実施形態に係る包装容器の開封態様を説明する模式的な斜視図である。
【図３Ａ】本実施形態に係る包装容器の開封態様を説明する模式的な斜視図である。
【図３Ｂ】本実施形態に係る包装容器の開封状態を説明する模式的な斜視図である。
【図３Ｃ】本実施形態に係る包装容器の開封状態を説明する模式的な斜視図である。
【図３Ｄ】本実施形態に係る連設板を取り外した状態を説明する模式的な斜視図である。
【図４】本実施形態に係る包装容器を形成するブランクを示す展開図である。
【図５】本実施形態に係る包装容器の組み立て工程を説明する模式的な斜視図である。
【符号の説明】
【００５９】
１  包装容器
１０  ブランク
１２  前板
１３  底板
１４  天板
１６  連設板
１８，１９，２２  側板
２４  後板
ｐ〜ｒ  破断線
Ｐ，Ｑ  開閉部分
ａ〜ｎ  折り目（切り目）
【図１】
2006335384.tif 000003
【図２】
2006335384.tif 000004
【図３Ａ】
2006335384.tif 000005
【図３Ｂ】
2006335384.tif 000006
【図３Ｃ】
2006335384.tif 000007
【図３Ｄ】
2006335384.tif 000008
【図４】
2006335384.tif 000009
【図５】
2006335384.tif 000010